(57)【要約】【課題】光学的フレアの発生を防止するとともに、カプセルの小型化を図ること。【解決手段】照明基板７１に接続される２つの電極７２ａからなる電極部と、この電極部上部に形成される照射部７２ｂとを有するとともに、照射部７２ｂの長手方向の端面７２ｂ１が、電極部の端面７２ａ１より短い段形状に構成される複数のＬＥＤ７２を、長手方向が撮像手段８の結像レンズ８３を中心とし、かつ結像レンズ８３の光学的特性で決まる視野範囲より広い半径からなる円周Ａ方向に沿ってそれぞれ配置する。【選択図】        図４
2006149683.tif 000002
【特許請求の範囲】
【請求項１】
少なくとも１つの端部がドーム形状に形成された外装ケースと、
前記外装ケース内に設けられ、導入された被検体内部を撮像して、前記被検体内部の画像情報を取得する撮像手段と、
前記ドーム形状の端部内で、かつ前記撮像手段の周辺に設けられる電極部と、前記電極部上部に形成されて長手方向の端面が前記電極部の端面より短く構成される照射部とを有し、前記照射部が前記撮像手段で撮像される前記被検体内部を照射する照明光を出力する複数の発光ダイオードを具備する照明手段と、
前記外装ケース内に設けられ、前記撮像手段と前記照明手段とがそれぞれ配置される配置用基板と、
を備えることを特徴とする被検体内導入装置。
【請求項２】
前記各発光ダイオードは、前記撮像手段を中心とした所定半径で、かつ円周方向に沿って、前記発光ダイオードの長手方向がそれぞれ配置されることを特徴とする請求項１に記載の被検体内導入装置。
【請求項３】
前記各発光ダイオードは、前記撮像手段を中心とした所定半径で、かつ半径方向に沿って、前記発光ダイオードの長手方向がそれぞれ配置されることを特徴とする請求項１に記載の被検体内導入装置。
【請求項４】
前記各発光ダイオードは、前記撮像手段を中心とした所定半径で、かつ半径方向から傾斜して、前記発光ダイオードの長手方向がそれぞれ配置されることを特徴とする請求項１に記載の被検体内導入装置。
【請求項５】
前記撮像手段を中心とした所定半径は、前記撮像手段の光学系の光学的特性で定まる視野範囲より広く設定されることを特徴とする請求項２〜４のいずれか一つに記載の被検体内導入装置。
【発明の詳細な説明】
【技術分野】
【０００１】
本発明は、被検体内に導入されて被検体内の情報を収集するための所定機能を実行する各種の機能実行手段を備え、これら機能実行手段を配置させた基板を収容してなる、たとえば飲み込み型のカプセル型内視鏡などの被検体内導入装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次Ｂｌｕｅｔｏｏｔｈなどの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、上記機能を実行するために、たとえば特許文献１に示すような飲み込み型のものがある。このカプセル型内視鏡は、照明体（発光ダイオード、以下「ＬＥＤ」という）、イメージセンサ、これらの駆動回路、電池などを含む電源部およびイメージセンサからの画像データを外部装置に送信するための送信部などを、たとえばＩＣ構成でそれぞれ配置用基板に配置し、これら基板をストリップ基板で接続するとともに、これらの部位を両端部がドーム形状に形成され、かつ密閉したカプセル形状の容器内に収容したものが提案されている。
【０００５】
【特許文献１】国際公開第０２／１０２２２４号パンフレット
【発明の開示】
【発明が解決しようとする課題】
【０００６】
このようなカプセル型内視鏡においては、先端部のドーム形状の先端カバー内に複数のＬＥＤが配置されており、透明の先端カバーを介して被検体内部を照射する照明光を出力している。このＬＥＤは、たとえば横１．６ｍｍ、縦０．８ｍｍ、高さ０．６ｍｍ程度の直方体で構成され、底部に２つの電極と、この電極上部に照明光を出力する照射部が形成されている。このＬＥＤは、イメージセンサの周辺に複数配置されているが、先端カバーや撮像のための光線に対して余裕がなく、この余裕を得るためにはカプセル型内視鏡を大きくしなければならず、小型化の妨げになっていた。また、ＬＥＤをイメージセンサに近づけると、ＬＥＤがレンズの光学的特性、たとえば口径や焦点距離などで決まる視野範囲に入ってしまい、撮像された画像に光学的フレアが発生する原因となるという問題があった。
【０００７】
本発明は、上記問題に鑑みてなされたものであって、光学的フレアの発生を防止するとともに、カプセルの小型化を図ることができる被検体内導入装置を提供することにある。
【課題を解決するための手段】
【０００８】
上述した課題を解決し、目的を達成するために、本発明にかかる被検体内導入装置は、少なくとも１つの端部がドーム形状に形成された外装ケースと、前記外装ケース内に設けられ、導入された被検体内部を撮像して、前記被検体内部の画像情報を取得する撮像手段と、前記ドーム形状の端部内で、かつ前記撮像手段の周辺に設けられる電極部と、前記電極部上部に形成されて長手方向の端面が前記電極部の端面より短く構成される照射部とを有し、前記照射部が前記撮像手段で撮像される前記被検体内部を照射する照明光を出力する複数の発光ダイオードを具備する照明手段と、前記外装ケース内に設けられ、前記撮像手段と前記照明手段とがそれぞれ配置される配置用基板と、を備えることを特徴とする。
【０００９】
また、請求項２の発明にかかる被検体内導入装置は、上記発明において、前記各発光ダイオードは、前記撮像手段を中心とした所定半径で、かつ円周方向に沿って、前記発光ダイオードの長手方向がそれぞれ配置されることを特徴とする。
【００１０】
また、請求項３の発明にかかる被検体内導入装置は、上記発明において、前記各発光ダイオードは、前記撮像手段を中心とした所定半径で、かつ半径方向に沿って、前記発光ダイオードの長手方向がそれぞれ配置されることを特徴とする。
【００１１】
また、請求項４の発明にかかる被検体内導入装置は、上記発明において、前記各発光ダイオードは、前記撮像手段を中心とした所定半径で、かつ半径方向から傾斜して、前記発光ダイオードの長手方向がそれぞれ配置されることを特徴とする。
【００１２】
また、請求項５の発明にかかる被検体内導入装置は、上記発明において、前記撮像手段を中心とした所定半径は、前記撮像手段の光学系の光学的特性で定まる視野範囲より広く設定されることを特徴とする。
【発明の効果】
【００１３】
本発明にかかる被検体内導入装置は、配置用基板に接続される電極部と、前記電極部上部に設けられて長手方向の端面が前記電極部の端面より短く構成される照射部とを有する複数のＬＥＤを端部のドーム形状の先端カバー内で、かつ撮像手段の周辺に設け、前記照射部が前記撮像手段で撮像される前記被検体内部を照射する照明光を出力することで、光学的フレアの発生を防止するとともに、カプセルの小型化を図ることができるという効果を奏する。
【発明を実施するための最良の形態】
【００１４】
以下に、本発明にかかる被検体内導入装置の実施の形態を図１〜図９の図面に基づいて詳細に説明する。なお、本発明は、これらの実施の形態に限定されるものではなく、本発明の要旨を逸脱しない範囲で種々の変更実施の形態が可能である。
【００１５】
（実施の形態１）
図１は、本発明にかかる被検体内導入装置を含む無線型被検体内情報取得システムの全体構成を示す模式図である。なお、この無線型被検体内情報取得システムでは、被検体内導入装置として、被検体である人間の口などから体腔内に導入して、体腔内の被検部位を撮影するカプセル型内視鏡を一例として説明する。図１において、無線型被検体内情報取得システムは、無線受信機能を有する受信装置２と、被検体１内に導入され、体腔内画像を撮像して受信装置２に対して画像信号などのデータ送信を行うカプセル型内視鏡３とを備える。また、無線型被検体内情報取得システムは、受信装置２が受信した画像信号に基づいて体腔内画像を表示する表示装置４と、受信装置２と表示装置４との間でデータの受け渡しを行うための携帯型記録媒体５とを備える。
【００１６】
受信装置２は、被検体１によって着用される受信ジャケット２ａと、受信される無線信号の処理などを行う外部装置２ｂとを備え、いずれも被検体１、たとえば図示しないベルトなどによって被検体１の腰部に固定されて携帯される。すなわち、受信装置２は、カプセル型内視鏡３から無線送信された体腔内の画像データを受信する機能を有しており、受信ジャケット２ａは、受信用アンテナＡ１〜Ａｎを備えるとともに、被検体１によって着用可能な形状に構成され、外部装置２ｂは、受信ジャケット２ａの受信用アンテナＡ１〜Ａｎを介して受信された無線信号の処理などを行う。
【００１７】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１８】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、カプセル型内視鏡３が被検体１の体腔内を移動している間は、外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００１９】
図２は、本発明にかかる被検体内導入装置（カプセル型内視鏡３）の構成を示す側断面図であり、図３は、図２に示したリジットフレキ配線基板を展開した上面図であり、図４は、図２に示した照明基板を前面（図中、先端カバー側）から見た断面図であり、図５は、図２に示した送信基板を後面（図中、後端部側）から見た断面図である。
【００２０】
カプセル型内視鏡３は、図２に示すように、カプセル形状に形成された外装ケースである密閉容器６と、予め設定された所定の機能を実行するための機能実行手段として、体腔内を被検部位を照明するための照明光を出射する照明手段７と、機能実行手段として、照明光による反射光を受光して被検部位を撮像する撮像手段８と、照明手段７と撮像手段８の駆動制御および信号処理を行う制御手段９と、機能実行手段を駆動するための駆動電力を蓄積する蓄電手段１０と、機能実行手段として、撮像手段８よって取得された画像データを被検体外部に無線送信する無線送信手段２０を備える。
【００２１】
密閉容器６は、人が飲み込める程度の大きさのものであり、略半球状の先端カバー６１と、筒形状の胴部カバー６２とを弾性的に嵌合させて形成されている。配置用基板としての照明基板７１、撮像基板８１、スイッチ基板１１、電源基板１２および送信基板２１は、後端部に略半円球形状の底部を有して先端部が円形状に開口した筒状の胴部カバー６２内に挿入されている。先端カバー６１は、略半球状のドーム形状であって、ドームの後側が円形状に開口している。この先端カバー６１は、透明性あるいは透光性を有する透明部材、たとえば光学的性能や強度を確保するのに好ましいシクロオレフィンポリマーあるいはポリカーボネートで成形され、照明手段７からの照明光を密閉容器６の外部に透過することを可能にするとともに、この照明光による被検体からの反射光を内部に透過することを可能にする。
【００２２】
また、胴部カバー６２は、先端カバー６１の後側に位置して、上記機能実行手段を覆う部材である。この胴部カバー６２は、円筒状の胴部６３と、略半球状のドーム形状の後端部６４を一体に形成し、この胴部６３の前側が円形状に開口している。この胴部カバー６２は、強度を確保するのに好ましいポリサルフォンなどで形成され、照明手段７と、撮像手段８と、制御手段９と、蓄電手段１０とを胴部６３に収容し、無線送信手段２０を後端部６４に収容している。
【００２３】
先端カバー６１の開口部には、開口端部の縁に沿って円筒形状の接合端部６５が設けられている。また、胴部６３の開口部には、開口端部の縁に沿って円筒形状の接合端部６６が設けられている。各接合端部６５，６６は、先端カバー６１と胴部カバー６２を相互に接合する際に、密閉容器６の内外で重合して互いに接触する接合面６５ａ，６６ａを有する。この実施の形態では、先端カバー６１の接合端部６５が密閉容器６の内側にあって、その外面が接合面６５ａをなし、胴部カバー６２の接合端部６６が密閉容器６の外側にあって、その内面が接合面６６ａをなし、接合面６５ａの外径と、接合面６６ａの内径とは、略一致して形成されている。なお、各接合端部６５，６６は、たとえば型成形時の抜き勾配の角度が０度のストレートで、かつほぼ同一の内外径にした筒形状に形成して互いの接合を容易にしてある。
【００２４】
接合面６５ａには、その全周に渡って突起６５ｂが無端状に形成され、接合面６６ａには、その全周に渡って溝６６ｂが無端状に形成されている。この突起６５ｂと溝６６ｂとは、接合面６５ａと６６ａが重合した状態で互いに係合される。このように、突起６５ｂおよび溝６６ｂは、互いに係合することによって、先端カバー６１と胴部カバー６２との接合した状態を保持する接合保持手段を構成している。
【００２５】
照明手段７は、図２〜図５に示すように、中央部分に通穴７１ａが設けられた円盤状に形成された照明基板７１と、照明基板７１の前面（図２中、先端カバー６１側）に設けられた発光ダイオード、たとえば白色ＬＥＤなどの６つの発光体７２と、後面（図２中、撮像基板８１側）にＬＥＤ７２を駆動するための回路を構成するチップ部品７４とを備え、ＬＥＤ７２からの照明光は、先端カバー６１を介して外部に照射されている。
【００２６】
これらのＬＥＤ７２は、同一構成からなり、図５に示すように照明基板７１に接続される２つの電極７２ａからなる電極部と、この電極部上部に形成される照射部７２ｂとから構成されている。この照射部７２ｂでは、長手方向の端面７２ｂ１が電極部の端面７２ａ１より短い段形状に構成されている。このＬＥＤ７２は、両電極７２ａに電圧が印加されることによって、照射部７２ｂが発光して上面から照明光を外部に照射している。
【００２７】
これらのＬＥＤ７２は、図４に示すように、後述する撮像手段８の光学系としての結像レンズ８３周辺で、かつ照明基板７１に等間隔で配置されている。すなわち、各ＬＥＤ７２は、長手方向がこの撮像手段８の結像レンズ８３を中心とし、かつ結像レンズ８３の光学的特性で決まる視野範囲より広い半径からなる円周Ａ方向に沿って、それぞれ等間隔で配置されている。
【００２８】
このような構成のＬＥＤ７２は、たとえば電極部の端面７２ａ１間の距離１．６ｍｍ、照射部７２ｂの端面７２ｂ１間の距離１ｍｍ、縦（電極部の端面７２ａ１または照射部７２ｂの端面７２ｂ１の長さ）０．８ｍｍ、高さ（電極部の端面７２ａ１と照射部７２ｂの端面７２ｂ１を含んだ高さ）０．６ｍｍ程度の側面が段形状に構成されており、従来の直方体構成のＬＥＤに比べて照射部７２ｂの端面７２ｂ１間の距離が電極部の端面７２ａ１間の距離よりも短く形成されている。これにより、この実施の形態にかかるＬＥＤ７２を、従来のＬＥＤと同じ照明基板７１上の位置に配置すると、ＬＥＤ７２の照射部７２ｂ上面の角部のうち、外側（先端カバー６１側）角部と、先端カバー６１の内面との間には、従来のＬＥＤを用いた場合よりも、長い距離が発生することとなる。このため、実施の形態にかかるＬＥＤ７２を先端カバー６１側にずらした位置に配置すれば、上記した視野範囲よりさらに広い円周上に余裕をもって配置することができ、光学的フレアの発生をさらに防ぐことができる。
【００２９】
また、実施の形態にかかるＬＥＤ７２を従来のＬＥＤと同じ照明基板７１上の位置に配置すれば、ＬＥＤ７２と先端カバー６１との間に、従来よりも長い距離が生じることとなり、照明基板７１をその距離分小さくすることができる。このため、先端カバー６１の小型化が可能となり、カプセル型内視鏡全体の小型化が達成可能となる。また、この実施の形態では、ＬＥＤ７２と先端カバー６１との間に生じた距離の範囲内でＬＥＤ７２の配置位置を調整すれば、先端カバー６１の小型化と光学的フレアの発生の防止の両方の効果を得られるようにすることも可能である。
【００３０】
また、撮像手段８は、図２に示すように、円盤状に形成された撮像基板８１と、撮像基板８１の前面（図２中、照明基板７１側）に設けられたＣＣＤやＣＭＯＳなどの固体撮像素子８２と、固体撮像素子８２に被写体の像を結像させる結像レンズ８３とを備える。結像レンズ８３は、固体撮像素子８２の前面（図２中、照明基板７１側）に設けられており、被写体側に位置して可動枠８４ａに設けられる第１レンズ８３ａおよび第２レンズ８３ｂとから構成される。可動枠８４ａと固定枠８４ｂは、第１のレンズ８３ａおよび第２レンズ８３ｂを光軸に沿って移動させるピント調整機構８４を構成している。また、可動枠８４ａは、照明基板７１の通穴７１ａに挿通しており、結像レンズ８３の光軸を照明基板７１の前面に向けている。これにより、撮像手段８は、照明手段７の照明光によって照らされた範囲を撮像することができる。また、撮像基板８１の前面には、固体撮像素子８２を囲む態様で、固体撮像素子８２を駆動するための回路を構成するチップ部品８５が設けられている。
【００３１】
制御手段９は、図２および図３に示すように、ＤＳＰ（ディジタル  シグナル  プロセッサ）９１を有し、ＤＳＰ９１は、撮像基板８１の後面でチップ部品９２に囲まれる態様で設けられている。このＤＳＰ９１は、カプセル型内視鏡３の駆動制御の中枢を司り、固体撮像素子８２の駆動制御および出力信号処理、照明手段７の駆動制御を行う。なお、撮像基板８１の後面のチップ部品９２は、ＤＳＰ９１から出力される映像信号およびクロック信号の２つの信号を、無線送信手段２０から送信するにあたり、１つの信号にミキシングする機能などを有する半導体部材である。
【００３２】
蓄電手段１０は、図２に示すように、酸化銀電池などのボタン型乾電池１３と、円盤形状に形成されたスイッチ基板１１と、リードスイッチ１４および電源制御ＩＣ１５を有し、スイッチ基板１１の前面（図２中、撮像基板８１側）に設けられるスイッチ部１６と、電源部１８とを備える。ボタン型乾電池１３は、複数個、たとえばこの実施の形態では、２個を直列にして負極キャップ側を後側に向けて配置してある。なお、これら電池１３は、酸化銀電池に限定されるものではなく、たとえば充電式電池、発電式電池などを用いても良く、個数も２個に限定されるものではない。また、スイッチ基板１１の後面には、板バネで形成された接点１７が設けられ、この接点１７は、ボタン型乾電池１３の正極缶に接触して、ボタン型乾電池１３を板バネの付勢力で、後側（図２中、電源基板１２側）に付勢している。
【００３３】
電源部１８は、円盤形状に形成された電源基板１２と、電源基板１２の後面（図２中、後端部６４側）に設けられたレギュレータ１９を有している。レギュレータ１９は、常にシステムに必要な一定の電圧を得るために、ボタン型乾電池１３で得られる電圧をたとえば降圧などのコントロールを行う。また、図には明示してないが、電源基板１２の前面（図２中、スイッチ基板１１側）には、ボタン型乾電池１３の負極キャップと接触する接点が設けられている。この実施の形態において、蓄電手段１０は、スイッチ基板１１と電源基板１２の間に複数のボタン型乾電池１３を直列に接続配置して各機能実行手段への電源供給を可能にする。
【００３４】
無線送信手段２０は、円筒形状に形成され、かつ内部に空間領域を有する送信基板２１と、送信基板２１の内部に設けられた発振回路２２と、送信基板２１の後面（図２中、後端部６４側）に設けられたアンテナ２３と、フレキシブル基板３１とたとえば半田接続される接続端子２４とを備える。アンテナ２３は、図２に示すように、送信基板２１の後面に、コイル状に構成されている。この無線送信手段２０は、上記チップ部品９２（半導体部材）でミキシングした信号から一定の周波数・振幅・波形を持つ信号を発振回路２２によって取り出し、この取り出した信号をアンテナ２３からカプセル型内視鏡３の外部に送信する。
【００３５】
照明基板７１、撮像基板８１、スイッチ基板１１、電源基板１２および送信基板２１は、リジット基板からなる。図３に示すように、これらリジット基板は、一連のフレキシブル基板３１をそれぞれ挟む態様で設けられて、リジットフレキ配線基板３２を構成している。すなわち、各リジット基板は、フレキシブル基板３１を介して、照明基板７１、撮像基板８１、スイッチ基板１１、電源基板１２、送信基板２１の順で所定間隔おきに配設され、互いに電気的に接続されている。そして、このリジットフレキ配線基板３２のフレキシブル基板３１を折り曲げることによって、図２に示す態様で、照明基板７１、撮像基板８１、スイッチ基板１１、電源基板１２および送信基板２１は、先端カバー６１側と後端部６４側の前後方向に積層して配置される。
【００３６】
このように、この実施の形態では、段形状のＬＥＤを撮像手段８の結像レンズ８３を中心とし、かつ結像レンズ８３の光学的特性で決まる視野範囲より広い半径からなる円周Ａ方向に沿ってそれぞれ配置するので、ＬＥＤと先端カバーとの距離が長くなり、カプセル型内視鏡の小型化を図ることや光学的フレアの発生を防ぐことができる。
【００３７】
（実施の形態２）
図７は、図１に示した実施の形態２にかかる照明基板を前面から見た断面図である。なお、以下の図において、実施の形態１と同様の構成部分に関しては、説明の都合上、同一符号を付記するものとする。
【００３８】
図７において、この実施の形態が実施の形態１と異なる点は、段形状のＬＥＤ７２を、長手方向がこの撮像手段８の結像レンズ８３を中心とし、かつ結像レンズ８３の光学的特性で決まる視野範囲より広い幅で半径方向に沿って、それぞれ等間隔で配置される点である。なお、この視野範囲の視野角θは、たとえば１２０°〜１３０°程度に設定されている。
【００３９】
この実施の形態では、図８に示すように、ＬＥＤ７２の内側角部７２ｃを視野範囲より若干広い幅の円周Ａに接するように、ＬＥＤ７２を移動させた位置に配置させれば（一点鎖線の部分）、外側角部７２ｄと、先端カバー６１の内面との間には、従来のＬＥＤを用いた場合よりも、長い距離が生じることとなり、照明基板７１をその距離分小さくすることができる。このため、先端カバー６１の小型化が可能となり、カプセル型内視鏡全体の小型化が達成可能となる。
【００４０】
また、この実施の形態にかかるＬＥＤ７２を先端カバー６１の内面側に移動させた位置に配置させれば（実線の部分）、上記した視野範囲よりさらに広い円周上に余裕をもって配置することができ、光学的フレアの発生をさらに防ぐことができる。また、この場合には、ＬＥＤ７２間の間隔も広くなるので、ＬＥＤ７２の数を増加させて配置することも可能となる。さらに、実施の形態１と同様に、ＬＥＤ７２と先端カバー６１との間に生じた距離の範囲内でＬＥＤ７２の配置位置を調整すれば、先端カバー６１の小型化、光学的フレアの発生の防止およびＬＥＤ７２の増加の効果を得られるようにすることも可能である。
【００４１】
このように、この実施の形態では、段形状のＬＥＤを撮像手段８の結像レンズ８３を中心とし、かつ結像レンズ８３の光学的特性で決まる視野範囲より広い幅で半径方向に沿ってそれぞれ配置するので、実施の形態１と同様に、ＬＥＤと先端カバーとの距離が長くなり、カプセル型内視鏡の小型化を図ることや光学的フレアの発生を防ぐことができる。
【００４２】
（実施の形態３）
図９は、図１に示した実施の形態３にかかる照明基板を前面から見た断面図である。図において、実施の形態２と異なる点は、段形状のＬＥＤ７２を、長手方向がこの撮像手段８の結像レンズ８３を中心とし、かつ結像レンズ８３の光学的特性で決まる視野範囲より広い幅で半径方向から傾斜して渦巻形状に、それぞれ配置される点である。
【００４３】
この実施の形態では、半径方向から、たとえば４５°傾斜させたＬＥＤ７２の１つの内側角部７２ｃを視野範囲より若干広い幅の円周Ａに接するように、ＬＥＤ７２を移動させた位置に配置させれば、外側角部７２ｄと、先端カバー６１の内面との間には、実施の形態２の場合よりも、長い距離が生じることとなり、さらに照明基板７１をその距離分小さくすることができる。このため、先端カバー６１の小型化が可能となり、カプセル型内視鏡全体のさらなる小型化が達成可能となる。
【００４４】
また、この実施の形態にかかるＬＥＤ７２を先端カバー６１の内面側に移動させた位置に配置させれば、上記した視野範囲よりさらに広い円周上に余裕をもって配置することができ、光学的フレアの発生をさらに防ぐことができる。また、この場合には、ＬＥＤ７２間の間隔も広くなるので、ＬＥＤ７２の数を増加させて配置することも可能となる。さらに、実施の形態１と同様に、ＬＥＤ７２と先端カバー６１との間に生じた距離の範囲内でＬＥＤ７２の配置位置を調整すれば、先端カバー６１の小型化、光学的フレアの発生の防止およびＬＥＤ７２の増加の効果を得られるようにすることも可能である。
【００４５】
このように、この実施の形態では、段形状のＬＥＤ７２を撮像手段８の結像レンズ８３を中心とし、かつ結像レンズ８３の光学的特性で決まる視野範囲より広い幅で半径方向から所定角度傾斜して渦巻形状にそれぞれ配置するので、実施の形態１と同様に、ＬＥＤと先端カバーとの距離が長くなり、さらにカプセル型内視鏡の小型化を図ることや光学的フレアの発生を防ぐことができる。
【図面の簡単な説明】
【００４６】
【図１】本発明にかかる被検体内導入装置を含む無線型被検体内情報取得システムの全体構成を示す模式図である。
【図２】本発明にかかる被検体内導入装置の構成を示す側断面図である。
【図３】図１に示したリジットフレキ配線基板を展開した上面図である。
【図４】図１に示した実施の形態１にかかる照明基板を前面から見た断面図である。
【図５】図３に示したＬＥＤの側面図である。
【図６】図１に示した送信基板を後面から見た断面図である。
【図７】図１に示した実施の形態２にかかる照明基板を前面から見た断面図である。
【図８】図２に示した被検体内導入装置の先端カバー周辺の側断面図である。
【図９】図１に示した実施の形態３にかかる照明基板を前面から見た断面図である。
【符号の説明】
【００４７】
１  被検体
２  受信装置
２ａ  受信ジャケット
２ｂ  外部装置
３  カプセル型内視鏡
４  表示装置
５  携帯型記録媒体
６  密閉容器
７  照明手段
８  撮像手段
９  制御手段
１０  蓄電手段
１１  スイッチ基板（リジット基板）
１２  電源基板（リジット基板）
１３  ボタン型乾電池
１４  リードスイッチ
１５  電源制御ＩＣ
１６  スイッチ部
１７  接点
１８  電源部
１９  レギュレータ
２０  無線送信手段
２１  送信基板（リジット基板）
２２  発振回路
２３  アンテナ
２４  接続端子
３１  フレキシブル基板
３２  リジットフレキ配線基板
６１  先端カバー
６２  胴部カバー
６３  胴部
６４  後端部
６５，６６  接合端部
６５ａ，６６ａ  接合面
６５ｂ  突起
６６ｂ  溝
７１  照明基板（リジット基板）
７１ａ  通穴
７２  発光体（ＬＥＤ）
７２ａ  電極
７２ａ１，７２ｂ１  端面
７２ｂ  照射部
７２ｃ  内側角部
７２ｄ  外側角部
７４，８５，９２  チップ部品
８１  撮像基板（リジット基板）
８２  固体撮像素子
８３  結像レンズ
８３ａ，８３ｂ  レンズ
８４  ピント調整機構
８４ａ  可動枠
８４ｂ  固定枠
Ａ１〜Ａｎ  受信用アンテナ
【図１】
2006149683.tif 000003
【図２】
2006149683.tif 000004
【図３】
2006149683.tif 000005
【図４】
2006149683.tif 000006
【図５】
2006149683.tif 000007
【図６】
2006149683.tif 000008
【図７】
2006149683.tif 000009
【図８】
2006149683.tif 000010
【図９】
2006149683.tif 000011